【手続補正書】
【提出日】平成24年12月17日(2012.12.17)
【手続補正１】
【補正対象書類名】明細書
【補正対象項目名】０１１０
【補正方法】変更
【補正の内容】
【０１１０】
本出願では、以下の態様が提供される。
１．  光学スタックを有する多層光学フィルムを含む建築用物品であって、前記光学スタックが、複数の第１の光学層と、前記複数の第１の光学層と繰り返し順序で配置された複数の第２の光学層とを含み、前記複数の光学層の少なくとも１つがフッ素重合体材料を含み、前記光学スタックが紫外線安定性である、建築用物品。
２．  前記フッ素重合体材料が、ＴＦＥ、ＶＤＦ、ＨＦＰ、ＣＴＦＥ、（フルオロアルキルビニル）エーテル、（フルオロビニルアルコキシ）エーテル、フッ素化スチレン、ＨＦＰＯ、フッ素化シロキサン、又はこれらの組み合わせのモノマーのうちの少なくとも１つの共重合単位から誘導された単独重合体又は共重合体を含む、態様１に記載の建築用物品。
３．  前記フッ素重合体材料は、ＴＦＥの単独重合体、エチレンとＴＦＥ共重合体の共重合体、ＴＦＥとＨＦＰとＶＤＦの共重合体、ＶＤＦの単独重合体、ＶＤＦの共重合体、ＶＦの単独重合体、ＨＦＰとＴＦＥの共重合体、ＴＦＥとプロピレンの共重合体、ＴＦＥと（ペルフルオロビニル）エーテルの共重合体、ＴＦＥとペルフルオロアルキルビニルエーテルの共重合体、ＴＦＥと（ペルフルオロビニル）エーテルと（ペルフルオロメチルビニル）エーテルの共重合体、ＨＦＰとＴＦＥとエチレンの共重合体、クロロトリフルオロエチレンの単独重合体、エチレンとＣＴＦＥの共重合体、ＨＦＰＯの単独重合体、４−フルオロ−（２−トリフルオロメチル）スチレンの単独重合体、ＴＦＥとノルボルネンの共重合体、ＨＦＰとＶＤＦの共重合体、又はこれらの組み合わせのうちの少なくとも１つを含む、態様２に記載の建築用物品。
４．  前記複数の光学層の少なくとも１つが、アクリレート、オレフィン、スチレン、カーボネート、酢酸ビニル、塩化ビニリデン、ジメチルシロキサン、シロキサン、若しくはこれらの組み合わせのモノマーのうちの少なくとも１つのモノマーの共重合単位から誘導された単独重合体若しくは共重合体、及び／又はウレタンとポリエステル、若しくはこれらの組み合わせの官能基群のうちの少なくとも１つを含む、態様１〜３のいずれか一項に記載の建築用物品。
５．  それぞれの第１の光学層は、溶融加工性共重合体が、ＡＳＴＭ Ｄ ２１１６−０７準拠のフッ素化エチレン−プロピレン共重合体ではなく、又はＡＳＴＭ Ｄ ３３０７−０８準拠のペルフルオロアルコキシ樹脂ではないという条件で、テトラフルオロエチレンの共重合モノマーを含む溶融加工性共重合体を含み、それぞれの第２の光学層が、ポリ（メチルメタクリレート）、ポリ（メチルメタクリレート）の共重合体、ポリプロピレン、プロピレンの共重合体、ポリスチレン、スチレンの共重合体、ポリ塩化ビニリデン、ポリカーボネート、熱可塑性ポリウレタン、エチレンの共重合体、環状オレフィン共重合体、及びこれらの組み合わせからなる群から選択される非フッ素化重合体材料を含む、態様１〜４のいずれか一項に記載の建築用物品。
６．  前記溶融加工性共重合体が、テトラフルオロエチレンとヘキサフルオロプロピレンとフッ化ビニリデンの共重合体、ヘキサフルオロプロピレンとテトラフルオロエチレンとエチレンの共重合体、テトラフルオロエチレンとプロピレンの共重合体、テトラフルオロエチレンとノルボルネンの共重合体、及びエチレンとテトラフルオロエチレンの共重合体からなる群から選択される、態様５に記載の建築用物品。
７．  それぞれの第１の光学層とそれぞれの第２の光学層が、フッ素重合体材料を含む、態様１〜３のいずれか一項に記載の建築用物品。
８．  前記光学スタックが、ポリ（メチルメタクリレート）と（テトラフルオロエチレン、ヘキサフルオロプロピレン、及びフッ化ビニリデンの共重合体）の層ペア、ポリ（メチルメタクリレート）と（ヘキサフルオロプロピレン、テトラフルオロエチレン、及びエチレンの共重合体）の層ペア、ポリカーボネートと（テトラフルオロエチレン、ヘキサフルオロプロピレン、及びフッ化ビニリデンの共重合体）の層ペア、ポリカーボネートと（ヘキサフルオロプロピレン、テトラフルオロエチレン、及びエチレンの共重合体）の層ペア、ポリカーボネートと（エチレン及びテトラフルオロエチレンの共重合体）の層ペア、ポリプロピレンの共重合体と（テトラフルオロエチレン、ヘキサフルオロプロピレン、及びフッ化ビニリデンの共重合体）の層ペア、ポリプロピレンと（ヘキサフルオロプロピレン、テトラフルオロエチレン、及びエチレンの共重合体）の層ペア、ポリスチレンと（テトラフルオロエチレン、ヘキサフルオロプロピレン、及びフッ化ビニリデンの共重合体）の層ペア、ポリスチレンの共重合体と（テトラフルオロエチレン、ヘキサフルオロプロピレン、及びフッ化ビニリデンの共重合体）の層ペア、ポリスチレンの共重合体と（ヘキサフルオロプロピレン、テトラフルオロエチレン及びエチレンの共重合体）の層ペア、ポリエチレンの共重合体と（テトラフルオロエチレン、ヘキサフルオロプロピレン、及びフッ化ビニリデンの共重合体）の層ペア、ポリエチレンの共重合体と（ヘキサフルオロプロピレン、テトラフルオロエチレン、及びエチレンの共重合体）の層ペア、環状オレフィン共重合体と（テトラフルオロエチレン、ヘキサフルオロプロピレン、及びフッ化ビニリデンの共重合体）の層ペア、環状オレフィン共重合体と（ヘキサフルオロプロピレン、テトラフルオロエチレン、及びエチレンの共重合体）の層ペア、並びに熱可塑性ポリウレタンと（テトラフルオロエチレン、ヘキサフルオロプロピレン、及びフッ化ビニリデンの共重合体）の層ペア、フッ化ビニリデンの単独重合体と（テトラフルオロエチレン、ヘキサフルオロプロピレン、及びフッ化ビニリデンの共重合体）の層ペア、（エチレン及びクロロトリフルオロエチレンの共重合体）と（テトラフルオロエチレン、ヘキサフルオロプロピレン、及びフッ化ビニリデンの共重合体）の層ペア、（ヘキサフルオロプロピレン、テトラフルオロエチレン、及びエチレンの共重合体）と（テトラフルオロエチレン、ヘキサフルオロプロピレン、及びフッ化ビニリデンの共重合体）の層ペア、（ヘキサフルオロプロピレン、テトラフルオロエチレン、及びエチレンの共重合体）と（エチレン及びテトラフルオロエチレンの共重合体）の層ペア、（ヘキサフルオロプロピレン、テトラフルオロエチレン、及びエチレンの共重合体）とテトラフルオロエチレン及びノルボルネンの共重合体の層ペア、並びに（エチレン及びテトラフルオロエチレンの共重合体）と（テトラフルオロエチレン、ヘキサフルオロプロピレン、及びフッ化ビニリデンの共重合体）の層ペアからなる群から選択される層ペアを含む、態様１に記載の建築用物品。
９．  前記フッ素重合体材料が、少なくとも３つの異なるモノマーを含む、態様１〜３及び態様５〜８のいずれか一項に記載の建築用物品。
１０．  前記フッ素重合体材料が、少なくとも４つの異なるモノマーを含む、態様１〜３及び態様５〜８のいずれか一項に記載の建築用物品。
１１．  前記光学スタックが、ａ）約４００〜７００ｎｍの波長の少なくとも一部分、ｂ）約７００ｎｍを超える波長の少なくとも一部分、ｃ）約３００ｎｍ未満の波長の少なくとも一部分、又はｄ）約３００〜４００ｎｍの波長の少なくとも一部分のうちの少なくとも１つを透過する、態様１〜１０のいずれか一項に記載の建築用物品。
１２．  前記光学スタックが、ａ）約４００〜７００ｎｍの波長の少なくとも一部分、ｂ）約７００ｎｍを超える波長の少なくとも一部分、ｃ）約３００ｎｍ未満の波長の少なくとも一部分、又はｄ）約３００〜４００ｎｍの波長の少なくとも一部分のうちの少なくとも１つを反射する、態様１〜１１のいずれか一項に記載の建築用物品。
１３．  前記多層光学フィルムが、ａ）印刷、ｂ）接着剤、ｃ）耐引裂層、ｄ）スキン層、又はｅ）保護境界層のうちの少なくとも１つを更に含む、態様１〜１２のいずれか一項に記載の建築用物品。
１４．  紫外線吸収化合物、赤外線吸収化合物、又はこれらの組み合わせを更に含み、前記溶融加工性共重合体、前記非フッ素化重合体材料、又は任意の付加層が、前記紫外線吸収化合物、前記赤外線吸収化合物、又はこれらの組み合わせを含む、態様１〜１３のいずれか一項に記載の建築用物品。
１５．  前記多層光学フィルムが、柔軟な無機又は有機、織布又は不織布、繊維メッシュ又は重合体材料上に配置される、態様１〜１４のいずれか一項に記載の建築用物品。
１６．  前記多層光学フィルムが、クッション構造物又は張力構造物である、態様１〜１５のいずれか一項に記載の建築用物品。
１７．  前記多層光学フィルムが、前記クッション構造物の外側シート、中央シート、又は内側シートのうちの少なくとも１つである、態様１６に記載の建築用物品。
１８．  前記クッション構造物が、エチレンとテトラフルオロエチレンの共重合単位を含む重合体フィルムを更に含む、態様１６又は１７に記載の建築用物品。
１９．  前記多層光学フィルムが、前記重合体フィルムの外側面、前記重合体フィルムの内側面の少なくとも一方に積層されるか、又は前記重合体フィルムの前記外側面と前記内側面との間に挟まれる、態様１８に記載の建築用物品。
２０．  前記多層光学フィルムが、支持構造内に配置され、前記支持構造内の前記多層光学フィルムが、２．５ＧＰａ未満の曲げ弾性率（flex modulus）を有する、態様１５〜１９のいずれか一項に記載の建築用物品。
２１．  前記支持構造内の前記多層光学フィルムが、１ＧＰａ未満の曲げ弾性率を有する、態様１５〜２０のいずれか一項に記載の建築用物品。
２２．  態様１５〜２１のいずれか一項に記載の建築用物品を使用する方法であって、屋根、ファサード、壁、外殻、窓、天窓、アトリウム、又はこれらの組み合わせの建築に建築用物品を使用することを含む、方法。
２３．  第１の屈折率を有する第１の光学層と第２の屈折率を有する第２の光学層を交互にして、複数の層を含む光学スタックを構成する工程を含み、前記第１の屈折率が前記第２の屈折率と異なり、前記光学層の少なくとも１つがフッ素重合体材料を含み、前記光学スタックが紫外線安定性である、態様１〜２２のいずれか一項に記載の建築用物品を作成する方法。
２４．  ａ）前記第１の光学層と前記第２の光学層をウェブに共押出しする工程、ｂ）前記第１の光学層のシートを前記第２の光学層上に層化するか、若しくは前記第２の光学層のシートを前記第１の光学層上に層化し、次に積層する工程、ｃ）前記第１の光学層の溶液を前記第２の光学層上に被覆するか、若しくは前記第２の光学層の溶液を前記第１の光学層上に被覆する工程、ｄ）前記第１の光学層を前記第２の光学層上に蒸着するか、若しくは前記第２の光学層を前記第１の光学層上に蒸着する工程、又は、ｅ）これらの組み合わせのうちの少なくとも１つを含む、態様２３に記載の建築用物品を作成する方法。
本発明の予測可能な改良及び変更が、本発明の範囲及び趣旨から逸脱せずに実施できることは、当業者には明らかである。本発明は、例証の目的のために本出願において説明された実施形態に限定されるべきではない。
【手続補正２】
【補正対象書類名】特許請求の範囲
【補正対象項目名】全文
【補正方法】変更
【補正の内容】
【特許請求の範囲】
【請求項１】
光学スタックを有する多層光学フィルムを含む建築用物品であって、前記光学スタックが、複数の第１の光学層と、前記複数の第１の光学層と繰り返し順序で配置された複数の第２の光学層とを含み、前記複数の光学層の少なくとも１つがフッ素重合体材料を含み、前記光学スタックが紫外線安定性である、建築用物品。
【請求項２】
請求項１に記載の建築用物品を使用する方法であって、屋根、ファサード、壁、外殻、窓、天窓、アトリウム、又はこれらの組み合わせの建築に建築用物品を使用することを含む、方法。
【請求項３】
第１の屈折率を有する第１の光学層と第２の屈折率を有する第２の光学層を交互にして、複数の層を含む光学スタックを構成する工程を含み、前記第１の屈折率が前記第２の屈折率と異なり、前記光学層の少なくとも１つがフッ素重合体材料を含み、前記光学スタックが紫外線安定性である、請求項１に記載の建築用物品を作成する、方法。